(57)【要約】【課題】家具の支持脚として十分な強度を有すると共に、現場での寸法調整が容易にできるものがない。【解決手段】樹脂成形体からなる支持脚本体には、上下方向に連続する貫通孔を有し、貫通孔の上端部には家具と支持脚を固定する固定具が、下端部には家具の高さ調整機能を有する高さ調整具が設けられる。貫通孔に金属製の補強体を挿入することで、支持脚本体を補強できる。【選択図】図３
2018051090.tif 000002
【特許請求の範囲】
【請求項１】
支持脚本体には、上下方向に連続する貫通孔を有する家具用支持脚において、貫通孔に補強体を挿入していることを特徴とする家具用支持脚。
【請求項２】
貫通孔の上端部には家具と支持脚本体を固定する固定具が、下端部には家具の高さ調整機能を有する高さ調整具が設けられたことを特徴とする請求項１に記載の家具用支持脚。
【請求項３】
支持脚本体は樹脂成形体であることを特徴とする請求項１又は２に記載の家具用支持脚。
【請求項４】
補強体は金属製の棒状物であることを特徴とする請求項１乃至３に記載の家具用支持脚。
【発明の詳細な説明】
【技術分野】
【０００１】
本発明は、補強体で補強した家具の支持脚に関するものである。
【背景技術】
【０００２】
従来、下駄箱のように土間に設置される家具は、水で濡れない等家具を保護するため、段差のある玄関部分で土間側を支持するため、家具の床面に支持脚が設けられており、一般的に収納部分が木質材料でできているので同じ木質材料で形成される場合が多い。
【０００３】
しかし、木質材料は水に濡れたりして経年経過で劣化する場合が考えられる、また、支持脚Ｃ１は、図５に示すように、上端部は家具の底面に固定するためのねじＣ２が突出した状態で固定され、下端部は家具の高さを調整するための高さ調整具Ｃ３が固定されている。
【０００４】
上端部のねじＣ２は、例えばハンガーボルトの一端の木ねじ部を木質材料に捻じ込み固定するもので、他端のボルト部を、家具の底板に捻じ込んだ鬼目ナット等に螺合して家具に支持脚を固定するためのものである。
【０００５】
下端部の高さ調整具Ｃ３は、支持脚Ｃ１に固定したアジャスターナットにアジャスターボルトを螺号させて床面設置部を上下させて家具の高さを調整するものである。
【０００６】
玄関等の床面と土間との段差によって、支持脚を切断して大まかな長さ調整をし、下端部に設けた高さ調整具で微調整を行うことになる。上端部は家具底面とガタツキなく密着させるために、下端部をカットするが、大きくカットしてもアジャスターボルトの軸が収まるように深く穴加工をしなければならない。しかし、深い穴加工を行うためには長いドリルビットが必要となり、長いドリルビットは加工時に芯ブレが発生し易く、作業性が悪くなる。
【０００７】
特許文献１では、支持脚をカットした場合でも倒れ防止キャップを支持脚に被着することで、仮に斜めにカットしても見栄えも良く、玄関収納庫をしっかりと支持することができるという効果がある。
【先行技術文献】
【特許文献】
【０００８】
【特許文献１】特開２００４−２０１７１３号公報
【発明の概要】
【発明が解決しようとする課題】
【０００９】
しかし、仮に倒れ防止キャップを介して支持できたとしても、支持脚自体が部分的な設置となり、経年に亘り応力がかかることにより疲労を受け支持脚の劣化を招く虞がある。
【００１０】
同じく特許文献１の別の実施形態では、強度を考慮してアルミ製の支持脚が用いられているが、カットも一般の木工用刃物を使用できず、アルミ用の刃物が必要となる。また、木質材料からなる家具に設ける場合は、色や素材感の違いが見られる。
【００１１】
本発明は、このような問題点に鑑みてなされた発明であり、その目的は、安価で強度があり通常の木工用刃物でも現場でカットができる家具用の支持脚に関するものである。
【課題を解決するための手段】
【００１２】
第１の発明は、家具用支持脚の支持脚本体には、上下方向に連続する貫通孔が設けられ、貫通孔に補強体が挿入していることを特徴とする。
【００１３】
第１の発明では、貫通孔に補強体を挿入しているので、強度の高い家具用支持脚が得られる。
【００１４】
第２の発明は、請求項１に記載の家具用支持脚において、貫通孔の上端部には家具と支持脚を固定する固定具が、下端部には家具の高さ調整機能を有する高さ調整具が設けられていることを特徴とする。
【００１５】
第２の発明では、請求項１の特徴に加えて、家具の高さ調整が容易に行える。
【００１６】
第３の発明は、請求項１又は２に記載の家具用支持脚において、支持脚本体は樹脂成形体であることを特徴とする。
【００１７】
第３の発明では、支持脚本体は樹脂成形体とすることで、容易に安価な成形物が得られ、現場で普通の木工用刃物でカットすることができ、施工性に優れた家具用支持脚が得られる。
【００１８】
第４の発明は、請求項１乃至３に記載の家具用支持脚において、補強体は金属製の棒状物であることを特徴とする。
【００１９】
第４の発明では、強度の高い金属製の棒状物を補強体として用いることで、より強度の高い家具用支持脚が得られる。
【発明の効果】
【００２０】
本発明によると、家具用支持脚の支持脚本体に設けられた上下方向に連続する貫通孔内に補強体を挿入することにより、強度があまり強くない支持脚でも容易に高い強度を得ることができるので、重量のある家具でも少ない本数の支持脚でも支持することができ、経年に亘る応力で受ける疲労によって、支持脚が劣化する虞れも低くなる。
【００２１】
また、補強体で補強した支持脚であって、従来通りの家具の高さ調整が容易に行え、さらに、具体的には支持脚本体を樹脂成形体とすることで、容易に安価な成形物が得られ、現場で普通の木工用刃物でカットすることができ、補強体として金属製の棒状物を貫通孔に挿入すれば、強度の弱い樹脂成形物によるものであっても、より強度の高い家具用支持脚が得られる。
【図面の簡単な説明】
【００２２】
【図１】本発明の家具用支持脚の部分を表す概要図である。
【図２】本発明の家具用支持脚の実施形態を示す斜視図である。
【図３】本発明の家具用支持脚の実施形態を示す縦断面図である。
【図４】本発明の家具用支持脚の別の実施形態を示す縦断面図である。
【図５】従来の支持脚の概要図である。
【発明を実施するための形態】
【００２３】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２４】
図１は、本発明の家具用支持脚の部分を表す概要図であり、図２は家具用支持脚の実施形態を示す斜視図であり、図３はその縦断面図である。家具用支持脚１は上端部を下駄箱等の家具Ｋの底面に固定具（ねじ）で固定され、高さ調整具３を介して床面に立設する。
【００２５】
家具用支持脚１は、支持脚本体１１の中央部分に上下に貫通する貫通孔１２が設けられており、上端部には家具Ｋに固定するための固定具２、下端部には家具Ｋの床Ｆからの高さ調整を行うための高さ調整具３が設けられ、貫通孔内部には支持脚の強度を補強する補強体４が設けられる。
【００２６】
支持脚本体１１はここでは円柱状であるが、家具に用いられる一般的な形状のものであれば限定されない。また、安価で多品種の製品が生産できるように、樹脂の押出成形品が使用され、この実施形態では安価なＰＶＣ（ポリ塩化ビニル樹脂）が用いられるが、その他一般的に成形体に使用される樹脂であれば、補強体で補強されるため、ＡＢＳ樹脂等のように高強度で高価な樹脂を使用する必要はない。なお、貫通孔１２の断面は円形であるが、四角形、三角形等形状は特に限定しない。
【００２７】
固定具２は貫通孔１２の上端部に固定される。例えば鬼目ナットが貫通孔１２と対応する家具Ｋの底板裏面に捻じ込まれ、その間をねじで螺合して固定する。
【００２８】
高さ調整具３は、一般的な家具の支持脚に用いられるものでかまわず、アジャスターボルト３１を支持脚本体下端部に固定したアジャスターナット３２に螺合し、ボルトを回転させ上下することで高さ調整が行える。床設置部３３を介して床に設置される。もちろん、別の機構の高さ調整具でも良い。
【００２９】
補強体４は、貫通孔１２に挿入され、支持脚本体１１を補強する。補強体４と貫通孔１２の径はほぼ同じ寸法で、挿入することができ、貫通孔内部と密着した方が、より補強効果が得られるので好ましい。補強体４としては鉄やステンレス等の金属が好ましい。
【００３０】
支持脚本体１１を高強度にすれば、現場で高さ調整をするためにカットする場合、作業がし難くなり、支持脚自体が高価なものになるが、補強体４を用いれば、樹脂等で成形された支持脚本体１１を簡単にカットすることができる。また、補強体４による補強ができるので、成形時の変形を防止し樹脂量を削減するための肉盗みを設けることで生じる成形体の強度減少を防止することができる。さらに、肉盗みにより成形体の外面に発生するヒケについても凹凸形状の意匠として活用することができる。
【００３１】
図４は別の実施形態によるものであり、貫通孔１２内に上下に亘る補強体４を設けたもので、上端部には固定具２（ねじ）を固定するために内面に雌ねじを設け、下端部にはアジャスターボルト３１を収納するための空間が設けられている。また、補強体４を図のように分割できるようにすれば支持脚本体１１のカットにも対応できる。
【産業上の利用可能性】
【００３２】
以上説明したように、本発明は、現場での寸法調整ができると共に、重量のある家具に対しても高強度のものが得られ、家具の支持脚として有用である。
【符号の説明】
【００３３】
Ｆ          床        
Ｋ          家具          
１          家具用支持脚
１１        支持脚本体
１２        貫通孔
２          固定具
３          高さ調整具
３１        アジャスターボルト
３２        アジャスターナット
３３        床設置部
４          補強体
Ｃ１        支持脚（従来）  
Ｃ２        ねじ（従来）
Ｃ３        高さ調整具（従来）
【図１】
2018051090.tif 000003
【図２】
2018051090.tif 000004
【図３】
2018051090.tif 000005
【図４】
2018051090.tif 000006
【図５】
2018051090.tif 000007